(57)【特許請求の範囲】
【請求項１】
手術用の縫合糸を収納するためのものであって、合成樹脂製の板状基体の周縁部には前記縫合糸を巻回する複数の糸巻き部が一体に成形され、この糸巻き部は、前記板状基体と直交する方向に高さを有する第一立ち上がり部と該第一立ち上がり部の先端に外方へ水平に突出した第一水平部とで構成される断面Ｌ字状の第一糸巻き部と、前記板状基体の周縁部に設けられ外方へ水平に突出した第二水平部と該第二水平部の先端に連設され前記板状基体と直交する方向に高さを有する第二立ち上がり部とで構成され前記第一糸巻き部の隣接位置に配される断面Ｌ字状の第二糸巻き部とから成り、前記第一糸巻き部と前記第二糸巻き部とは、常態においては側面視閉じた四角形状となり、前記板状基体の所定部位を該板状基体と直交する方向へ押圧変形させた際には、側面視において前記第一糸巻き部の第一水平部と前記第二糸巻き部の第二立ち上がり部との先端が開き、前記縫合糸の通過を許容する糸通過許容部が形成されるように構成されていることを特徴とする縫合糸収納具。
【請求項２】
請求項１記載の縫合糸収納具において、前記縫合糸は手術用の針付きの縫合糸であることを特徴とする縫合糸収納具。
【請求項３】
請求項１，２いずれか１項に記載の縫合糸収納具において、前記板状基体には前記針を係止する針係止部が設けられていることを特徴とする縫合糸収納具。
【請求項４】
請求項３記載の縫合糸収納具において、前記針係止部は、前記板状基体の表面に突設される凸部に前記針を挟持するスリットを設けたものであり、前記スリットは前記板状基体の所定部位を該板状基体と直交する方向へ押圧変形させることで挟持間隔が可変するように構成されていることを特徴とする縫合糸収納具。
【請求項５】
請求項１〜４いずれか１項に記載の縫合糸収納具において、前記板状基体は小判型であることを特徴とする縫合糸収納具。
【請求項６】
請求項１〜５いずれか１項に記載の縫合糸収納具において、前記第二糸巻き部の第二水平部の両側にして前記板状基体にはスリットが形成されていることを特徴とする縫合糸収納具。
【発明の詳細な説明】
【技術分野】
【０００１】
本発明は、縫合糸収納具に関するものである。
【背景技術】
【０００２】
従来から、手術用の縫合糸を収納するためものとして、例えば特開平６−２８５０７６号に開示される縫合糸収納具（以下、従来例）が提案されている。
【０００３】
この従来例は、板状基体の周縁部に縫合糸を周方向に巻回する糸巻き部を設けたものであり、また、板状基体の表面には縫合糸の先端に付設される針を保持する針保持部が設けられている。
【０００４】
【特許文献１】特開平６−２８５０７６号公報
【発明の開示】
【発明が解決しようとする課題】
【０００５】
ところで、従来例に係る板状基体の周縁部には、糸巻き部の外方対向位置に配され該糸巻き部に巻回された縫合糸の脱落を阻止する糸保持部が所定間隔を介して複数並設されている。
【０００６】
具体的には、この各糸保持部は、板状基体の表面側周縁部と裏面側周縁部との間に架設状態となる糸保持体を、裏面側周縁部に起伏擺動自在に設けるとともに、この糸保持体の先端部に板状基体の表面側周縁部に係止する係止部を設けた構成である。
【０００７】
従って、糸巻き部に縫合糸を巻回する場合、板状基体の表側周縁部に対する係止部の係止状態を解除して糸保持体を起き擺動させて縫合糸の巻回可能な状態とし、この状態で糸巻き部に縫合糸を巻回する。その後、糸保持体を伏し擺動させて板状基体の表側周縁部に係止部を係止させることで、糸保持体は糸巻き部の外方対向位置に配されることになり、よって、この糸保持体により縫合糸の脱落を阻止する状態が得られることになる。
【０００８】
しかしながら、従来例は、前述したように糸巻き部に縫合糸を巻回する毎に、一つ一つ糸保持部を操作（糸保持体の係止部を係止させる操作、糸保持体の係止部の係止状態を解除させる操作及び糸保持体を起伏擺動する操作）するのが非常に厄介で作業性が悪く、しかも、この糸保持部の操作を自動化しようとすると非常に複雑な構造となってコスト高となってしまい、よって、この糸保持部が縫合糸の収納作業を自動化しようとする際の妨げとなっているのが現状である。
【０００９】
本発明は、上述した問題点を解決するものであり、極めて商品価値の高い画期的な縫合糸収納具を提供するものである。
【課題を解決するための手段】
【００１０】
添付図面を参照して本発明の要旨を説明する。
【００１１】
手術用の縫合糸１を収納するためのものであって、合成樹脂製の板状基体２の周縁部には前記縫合糸１を巻回する複数の糸巻き部３が一体に成形され、この糸巻き部３は、前記板状基体２と直交する方向に高さを有する第一立ち上がり部６ａと該第一立ち上がり部６ａの先端に外方へ水平に突出した第一水平部６ｂとで構成される断面Ｌ字状の第一糸巻き部６と、前記板状基体２の周縁部に設けられ外方へ水平に突出した第二水平部７ａと該第二水平部７ａの先端に連設され前記板状基体２と直交する方向に高さを有する第二立ち上がり部７ｂとで構成され前記第一糸巻き部６の隣接位置に配される断面Ｌ字状の第二糸巻き部７とから成り、前記第一糸巻き部６と前記第二糸巻き部７とは、常態においては側面視閉じた四角形状となり、前記板状基体２の所定部位を該板状基体２と直交する方向へ押圧変形させた際には、側面視において前記第一糸巻き部６の第一水平部６ｂと前記第二糸巻き部７の第二立ち上がり部７ｂとの先端が開き、前記縫合糸１の通過を許容する糸通過許容部８が形成されるように構成されていることを特徴とする縫合糸収納具に係るものである。
【００１２】
また、請求項１記載の縫合糸収納具において、前記縫合糸１は手術用の針９付きの縫合糸１であることを特徴とする縫合糸収納具に係るものである。
【００１３】
また、請求項１，２いずれか１項に記載の縫合糸収納具において、前記板状基体２には前記針９を係止する針係止部10が設けられていることを特徴とする縫合糸収納具に係るものである。
【００１４】
また、請求項３記載の縫合糸収納具において、前記針係止部10は、前記板状基体２の表面に突設される凸部10ａに前記針９を挟持するスリット10ｂを設けたものであり、前記スリット10ｂは前記板状基体２の所定部位を該板状基体２と直交する方向へ押圧変形させることで挟持間隔が可変するように構成されていることを特徴とする縫合糸収納具に係るものである。
【００１５】
また、請求項１〜４いずれか１項に記載の縫合糸収納具において、前記板状基体２は小判型であることを特徴とする縫合糸収納具に係るものである。
【００１６】
また、請求項１〜５いずれか１項に記載の縫合糸収納具において、前記第二糸巻き部７の第二水平部７ａの両側にして前記板状基体２にはスリット12が形成されていることを特徴とする縫合糸収納具に係るものである。
【発明の効果】
【００１７】
本発明は上述のように構成したから、前述した従来例に比し、縫合糸の収納状態（糸巻き部に糸が脱落しないで巻回された状態）が極めて簡易に得られることになり、しかも、この縫合糸の収納状態を簡易に得るための構造（糸巻き部に糸通過許容部を形成するための構造）が、板状基体の所定部位を該板状基体と直交する方向へ押圧変形させるだけのシンプルな動作により行われる極めて簡易構造であるから、縫合糸の収納作業の自動化を容易に実現することができ、ひいては縫合糸の収納作業における作業性の飛躍的な向上が望めることになるなど極めて商品価値の高い画期的な縫合糸収納具となる。
【発明を実施するための最良の形態】
【００１８】
好適と考える本発明の実施形態を、図面に基づいて簡単に説明する。
【００１９】
糸巻き部３に手術用の縫合糸１を巻回する場合、板状基体２の所定部位を該板状基体２と直交する方向へ押圧変形させると、側面視において第一糸巻き部６の第一水平部６ｂと第二糸巻き部７の第二立ち上がり部７ｂとの先端が開き、縫合糸１の通過を許容する糸通過許容部８が形成される。この状態で糸通過許容部８に縫合糸１を通過させて糸巻き部３へ縫合糸１を巻回する。この糸巻き部３への巻回が完了した後、板状基体２への押圧変形を解除すると、第一糸巻き部６の第一水平部６ｂと第二糸巻き部７の第二立ち上がり部７ｂとの先端は閉じ、糸通過許容部８は消失する。従って、糸巻き部３に巻回された縫合糸１の脱落が阻止される状態が得られる。
【００２０】
よって、単に板状基体２の所定部位を押圧変形させたり、この押圧変形を解除するだけで糸巻き部３に糸通過許容部８の形成及びこの糸通過許容部８の消失が極めて簡易に行われることになり、前述した従来例に比し、縫合糸１の収納状態（糸巻き部３に縫合糸１が脱落しないで巻回された状態）が極めて簡易に得られることになる。
【００２１】
また、本発明は、前述した縫合糸１の収納状態を簡易に得るための構造（糸巻き部３に糸通過許容部８を形成するための構造）が、単に板状基体２の所定部位を該板状基体２と直交する方向へ押圧変形させるだけのシンプルな動作により行われる極めて簡易構造であるから、縫合糸１の収納作業の自動化を容易に実現することができ、ひいては縫合糸１の収納作業における作業性の飛躍的な向上が望めることになる。
【実施例】
【００２２】
本発明の具体的な一実施例について図面に基づいて説明する。
【００２３】
本実施例は、糸１を収納するためのものであって、板状基体２の周縁部には糸１を巻回する複数の糸巻き部３が一体に成形されたものである。尚、本実施例では、巻回する糸１として手術用の針９付の縫合糸１を採用している。
【００２４】
以下、本実施例に係る構成各部について詳細な説明をする。
【００２５】
板状基体２は、図１に図示したように適宜な可撓性を有する合成樹脂製の部材で形成した小判型の板状体であり、この板状基体２の周縁部には糸巻き部３が設けられている。
【００２６】
糸巻き部３は、図１〜５に図示したように板状基体２と直交する方向に高さを有する第一立ち上がり部６ａと該第一立ち上がり部６ａの先端に外方へ水平に突出した第一水平部６ｂとで構成される断面Ｌ字状の第一糸巻き部６と、板状基体２の周縁部に設けられ外方へ水平に突出した第二水平部７ａと該第二水平部７ａの先端に連設され板状基体２と直交する方向に高さを有する第二立ち上がり部７ｂとで構成され第一糸巻き部６の隣接位置に配される断面Ｌ字状の第二糸巻き部７とから成るものである。尚、第一立ち上がり部６ａの外面は板状基体２の厚み方向に所定の高さを有する糸巻き面６ａ’に設定されている。
【００２７】
また、糸巻き部３を構成する第一糸巻き部６と第二糸巻き部７とは、板状基体２の周縁部に交互に配されている。
【００２８】
また、第二立ち上がり部７ｂは、前記第一糸巻き部６の第一水平部６ｂと近接若しくは当接する位置に配されている。従って、第一糸巻き部６と第二糸巻き部７とで側面視閉じた四角形状となり、よって、縫合糸１は糸巻き部３に進入できず、また、糸巻き部３に巻回された縫合糸１は脱落が阻止される。
【００２９】
また、糸巻き部３は、板状基体２の所定部位を該板状基体２と直交する方向へ押圧変形させた際、開放して縫合糸１の通過を許容する糸通過許容部８が形成されるように構成されている。
【００３０】
具合的には、第一立ち上がり部６ａの両側にして板状基体２にはスリット12が、また、第二水平部７ａの両側にして板状基体２にはスリット12が形成され、よって、第一糸巻き部６及び第二糸巻き部７は夫々板状基体２との連設部５ａ，５ｂを該板状基体２と直交する方向へ押圧することで屈曲変形し得るように構成されている。
【００３１】
従って、第一糸巻き部６及び第二糸巻き部７と板状基体２との連設部５ａ，５ｂを該板状基体２と直交する方向へ押圧変形させた際、側面視において第一糸巻き部６の第一水平部６ｂと第二糸巻き部７の第二立ち上がり部７ｂとの先端が開放して、第一糸巻き部６と第二糸巻き部７との間に縫合糸１の通過を許容する糸通過許容部８が形成されることになる（図14参照）。
【００３２】
また、板状基体２にして第一立ち上がり部６ａの反対側には、後述する押圧変形装置14の基板14Ｂに板状基体２を載置した際、該基板14Ｂに設けられる支持部14ｂの外縁に係止する係止部17が設けられている。
【００３３】
従って、この係止部17を支持部14ｂに係止させることで板状基体２は位置決め状態で基板14Ｂ上に支持されることになり、しかも、押圧変形装置14で押圧変形する作業の際には支持部14ｂで確実に連設部５ａ（第一糸巻き部６の板状基体２との連設部）を支持し得ることになる。
【００３４】
また、板状基体２の前後位置には一対の貫通孔13が形成されている。
【００３５】
この貫通孔13は、後述する板状基体２を押圧変形させる為の治具（押圧変形装置14）に設けられる凸部15を嵌挿して該押圧変形装置14に対して板状基体２を位置決めする為のものである。
【００３６】
また、板状基体２の表面には針９を保持する針係止部10が設けられている。
【００３７】
この針係止部10は、図１，６，７に図示したように板状基体２の表面に突設される凸部10ａに針９を挟持するスリット10ｂを設けたものであり、スリット10ｂは該スリット10ｂの巾方向に板状基体２を押圧変形させることで挟持間隔が広がるように構成されている（図６参照）。
【００３８】
押圧変形装置14は、図８に図示したように上下一対の基板14Ａ，14Ｂで構成されており、下方の基板14Ｂの上面両端位置にはピン（凸部15）が立設されており、一方、上方の基板14Ａの両端位置には、前記基板14Ｂのピン（凸部15）に被嵌し得る一対の孔16が設けられている。
【００３９】
従って、この基板14Ａの孔16を基板14Ｂの凸部15に被嵌させると基板14Ａ，14Ｂ同士は重合状態となる。
【００４０】
また、基板14Ｂに設けられる一対の凸部15は、前述した板状基体２に設けられる一対の孔13夫々が被嵌される間隔及び径に設定されており、この凸部15に孔13を被嵌させることで基板14Ｂの所定位置に板状基体２が位置決めされる。
【００４１】
また、上方の基板14Ａの下面には、突状の押圧部14ａが環状にして非連続的に複数並設されており、この押圧部14ａは、板状基体２を間に配して基体14Ａ，14Ｂ同士を重合させた際、第二糸保持体７の板状基体２との連設部５ｂ上面を押圧する位置に設けられている。
【００４２】
また、下方の基板14Ｂの上面には、突状の支持部14ｂが環状にして非連続的に複数並設されており、この支持部14ｂは、板状基体２を間に配して基体14Ａ，14Ｂ同士を重合させた際、第一糸巻き部６の板状基体２との連設部５ａ下面を支持する位置に設けられている。
【００４３】
前述した押圧部14ａと支持部14ｂとは、基体14Ａ，14Ｂ同士を重合させた際、互いに重合しない位置関係に配されている。
【００４４】
以上の構成からなる押圧変形装置14は、基板14Ｂの凸部15に孔13を被嵌させて板状基体２を基板14Ｂに配設し、この状態で、基板14Ｂの凸部15に上方から基板14Ａの孔16を被嵌させて基板14Ｂに基板14Ａを重合させ、この基板14Ｂと基板14Ａとで板状基体２を挟持する。この際、第一糸巻き部６の板状基体２との連設部５ａは基板14Ｂの支持部14ｂにより支持され、一方、第二糸巻き部７の板状基体２との連設部５ｂは基板14Ａの押圧部14ａにより押込まれることで、第一糸巻き部６は上方へ押し上げられて屈曲変形し且つ第二糸巻き部７は下方へ押し下げられて屈曲変形することになり、糸通過許容部８が形成される。
【００４５】
尚、第二糸巻き部７若しくは第一糸巻き部６のみ屈曲変形するようにしても良い。
【００４６】
以上の構成からなる本実施例に対する縫合糸１の巻回作業について説明する。
【００４７】
先ず、縫合糸１の先端部に付設された針９を針係止部10に保持せしめる。この針係止部10に対する針９の保持は、板状基体２を押圧変形させることでスリット10ｂの挟持間隔を広げ、この状態でスリット10ｂに針９を配して挟持保持せしめる（図６，７参照）。
【００４８】
続いて、前述したように押圧変形装置14に係る基板14Ｂと基板14Ａとで板状基体２を挟持する（図９〜図12参照）。
【００４９】
この状態で上方の基板14Ａを更に押し下げて押圧部14ａにより第二糸巻き部７と板状基体２との連設部５を押圧して屈曲変形させた際（この際、下方の基板14Ｂの支持部14ｂにより第一糸巻き部６と板状基体２との連設部５とは支持されている。）、側面視において第一糸巻き部６の第一水平部６ｂと第二糸巻き部７の第二立ち上がり部７ｂとの先端が開放して縫合糸１の通過を許容する糸通過許容部８が形成され、この状態で糸通過許容部８に縫合糸１を通過させて糸巻き部３へ縫合糸１を巻回する（図13，図14参照）。この糸巻き部３への巻回が完了した後、第二糸巻き部７と板状基体２との連設部５への押圧を解除すると糸通過許容部８が消失することになり、糸巻き部３に巻回された縫合糸１の脱落が防止されることになる（図15参照）。尚、縫合糸１の基端部は板状基体２に係止したりせず該縫合糸１の張力により保持される。
【００５０】
この本実施例に収納された針９付きの縫合糸１を使用する際には、針係止部10から針９を取り外し、この針９を引くことで糸巻回部３から縫合糸１を引き抜くことができる。
【００５１】
本実施例は上述のように構成したから、単に板状基体２の所定部位を押圧変形させたり、この押圧変形を解除するだけで糸巻き部３に糸通過許容部８の形成及びこの糸通過許容部８の消失が極めて簡易に行われることになる為、前述した従来例に比し、縫合糸１の収納状態（糸巻き部３に縫合糸１が脱落しないで巻回された状態）が極めて簡易に得られることになる。
【００５２】
また、本実施例は、前述した縫合糸１の収納状態を簡易に得るための構造（糸巻き部３に糸通過許容部８を形成するための構造）が、単に板状基体２の所定部位を該板状基体２と直交する方向へ押圧変形させるだけのシンプルな動作により行われる極めて簡易構造であるから、縫合糸１の収納作業の自動化を容易に実現することができ、ひいては縫合糸１の収納作業における作業性の飛躍的な向上が望めることになる。
【００５３】
尚、本発明は、本実施例に限られるものではなく、各構成要件の具体的構成は適宜設計し得るものである。
【図面の簡単な説明】
【００５４】
【図１】本実施例を示す斜視図である。
【図２】本実施例を示す平面図である。
【図３】図２のＡ−Ａ拡大断面図である。
【図４】図２のＢ−Ｂ拡大断面図である。
【図５】図１のＣ−Ｃ断面図である。
【図６】本実施例に係る要部の説明図である。
【図７】本実施例に係る要部の説明図である。
【図８】本実施例に係る要部の説明斜視図である。
【図９】本実施例の動作説明図である。
【図１０】本実施例の動作説明図である。
【図１１】本実施例の動作説明図である。
【図１２】本実施例に係る要部の説明図である。
【図１３】本実施例の動作説明図である。
【図１４】本実施例に係る要部の動作説明図である。
【図１５】本実施例に係る要部の説明図である。
【図１６】本実施例の使用状態説明図である。
【符号の説明】
【００５５】
１  縫合糸
２  板状基体
３  糸巻き部
６  第一糸巻き部
６ａ  第一立ち上がり部
６ｂ  第一水平部
７  第二糸巻き部
７ａ  第二水平部
７ｂ  第二立ち上がり部
８  糸通過許容部
９  針
10  針係止部
10ａ  凸部
10ｂ  スリット
12  スリット
【図１】
0005329838.tif 000002
【図２】
0005329838.tif 000003
【図３】
0005329838.tif 000004
【図４】
0005329838.tif 000005
【図５】
0005329838.tif 000006
【図６】
0005329838.tif 000007
【図７】
0005329838.tif 000008
【図８】
0005329838.tif 000009
【図９】
0005329838.tif 000010
【図１０】
0005329838.tif 000011
【図１１】
0005329838.tif 000012
【図１２】
0005329838.tif 000013
【図１３】
0005329838.tif 000014
【図１４】
0005329838.tif 000015
【図１５】
0005329838.tif 000016
【図１６】
0005329838.tif 000017